(57)【要約】【課題】ユーザーに掛かるコストを削減する。【解決手段】３Ｄメガネ１０は、３Ｄ画像を構成する左目用画像と右目用画像とを透過させるシャッター部１２０と、左目用画像及び右目用画像の表示タイミングとシャッター部１２０の駆動とを同期させる同期信号を受信する同期信号受信部１００と、同期信号の解析に用いられるプロトコル情報を記憶するプロトコル記憶部１９０と、記憶媒体を接続する媒体接続部１３４と、プロトコル情報が記憶された記憶媒体が接続されているときは、記憶媒体に記憶されているプロトコル情報、及び同期信号に基づいてシャッター部１２０を駆動させるシャッター駆動部１１０とを備える。【選択図】図１
2012231370.tif 000002
【特許請求の範囲】
【請求項１】
３Ｄ画像を構成する左目用画像と右目用画像とを透過させるシャッター部と、
前記左目用画像及び前記右目用画像の表示タイミングと前記シャッター部の駆動とを同期させる同期信号を受信する同期信号受信部と、
前記同期信号の解析に用いられるプロトコルの情報であるプロトコル情報を記憶するプロトコル記憶部と、
記憶媒体を接続する媒体接続部と、
前記媒体接続部に前記プロトコル情報が記憶された記憶媒体が接続されているときは、前記記憶媒体に記憶されている前記プロトコル情報、及び前記同期信号に基づいて前記シャッター部を駆動させるシャッター駆動部と
を備えることを特徴とする３Ｄ画像観賞用メガネ。
【請求項２】
前記シャッター駆動部は、前記媒体接続部に前記プロトコル情報が記憶された記憶媒体が接続されていないときは、前記プロトコル記憶部に記憶されている前記プロトコル情報、及び前記同期信号に基づいて前記シャッター部を駆動させることを特徴とする請求項1に記載の３Ｄ画像観賞用メガネ。
【請求項３】
ユーザーからの指定を受け付ける指定受付部を更に備え、
前記シャッター駆動部は、
前記媒体接続部に接続されている記憶媒体に２以上の前記プロトコル情報が記憶されているときは、当該２以上の前記プロトコル情報の中から前記指定受付部によって指定された一の前記プロトコル情報を選択し、選択した一の前記プロトコル情報を用いて前記シャッター部を駆動することを特徴とする請求項１又は請求項２に記載の３Ｄ画像観賞用メガネ。
【請求項４】
前記シャッター駆動部は、
前記同期信号受信部が前記同期信号を受信しているときに、前記媒体接続部に２以上の前記プロトコル情報が記憶されている記憶媒体が接続されたときは、当該２以上の前記プロトコル情報の中から受信中の同期信号の解析に適した一の前記プロトコル情報を選択し、選択した一の前記プロトコル情報を用いて前記シャッター部を駆動することを特徴とする請求項１又は請求項２に記載の３Ｄ画像観賞用メガネ。
【請求項５】
前記媒体接続部に接続されている記憶媒体に記憶されている前記プロトコル情報を、前記プロトコル記憶部に追加するプロトコル更新部を更に備え、
前記シャッター駆動部は、
前記プロトコル更新部によって追加された前記プロトコル情報を用いて前記シャッター部を駆動することを特徴とする請求項１乃至請求項４の何れか１項に記載の３Ｄ画像観賞用メガネ。
【請求項６】
前記媒体接続部に接続された記憶媒体に記憶されている前記プロトコル情報の更新の要否を判断する更新判断部を更に備え、
前記更新判断部は、
前記同期信号受信部が前記同期信号を受信しているときは、前記媒体接続部に接続された記憶媒体に記憶されている前記プロトコル情報が、受信中の同期信号の解析に適しているか否かに基づいて、更新の要否を判断し、
前記プロトコル更新部は、
前記更新判断部によって更新を要すると判断された前記プロトコル情報を、前記プロトコル記憶部に追加することを特徴とする請求項５に記載の３Ｄ画像観賞用メガネ。
【請求項７】
３Ｄ画像を構成する左目用画像と右目用画像とを透過させるシャッター部と、前記左目用画像及び前記右目用画像の表示タイミングと前記シャッター部の駆動とを同期させる同期信号の解析に用いられるプロトコルの情報であるプロトコル情報を記憶するプロトコル記憶部と、記憶媒体を接続する媒体接続部とを備える３Ｄ画像観賞用メガネの制御方法であって、
前記同期信号を受信し、
前記媒体接続部に前記プロトコル情報を記憶した記憶媒体が接続されているときは、前記記憶媒体に記憶されている前記プロトコル情報、及び前記同期信号に基づいて前記シャッター部を駆動させることを特徴とする３Ｄ画像観賞用メガネの制御方法。
【発明の詳細な説明】
【技術分野】
【０００１】
本発明は、３Ｄ画像観賞用メガネ、及び、３Ｄ画像観賞用メガネの制御方法に関するものである。
【背景技術】
【０００２】
従来、左目用画像及び右目用画像から構成される３Ｄ画像を視るために用いられる３Ｄメガネが知られている（例えば、特許文献１参照）。上記のような３Ｄメガネは、左目用画像と右目用画像とを交互に透過させる（左目と右目に交互に光を透過、遮断させる）ように駆動する左右のシャッターを備え、外部から受信した同期信号を３Ｄメガネ内に格納（記憶）されたプロトコルに従って解析し、解析結果に基づいてシャッター駆動信号を生成し、シャッターを駆動させている。
【先行技術文献】
【特許文献】
【０００３】
【特許文献１】特開２０１０−６１１０５号公報
【発明の概要】
【発明が解決しようとする課題】
【０００４】
しかしながら、現在、複数のプロトコルに準拠した異なる形式の複数の同期信号が用いられており、各形式の同期信号は、当該同期信号に対応するプロトコルでなければ解析できない。そのため、異なる形式の同期信号を出力する出力装置（例えば、画像表示装置）毎に、各形式の同期信号を解析するためのプロトコルに対応した３Ｄメガネを使用する必要がある。
従って、３Ｄ画像を視聴するユーザーにとってコストが掛かるという問題がある。例えば、ユーザーが、新たに出力装置を購入する際に、既に３Ｄメガネを所持していたとしても、所持している３Ｄメガネが新たに購入する出力装置に対応する３Ｄメガネでない場合、新たに購入する出力装置に対応する３Ｄメガネを購入しなければならずコストが掛かるという問題がある。
【０００５】
本発明はこのような事情に鑑みてなされたものであって、ユーザーに掛かるコストを削減する技術を提供することを目的する。
【課題を解決するための手段】
【０００６】
上記問題を解決するために、本発明の一態様は、３Ｄ画像を構成する左目用画像と右目用画像とを透過させるシャッター部と、前記左目用画像及び前記右目用画像の表示タイミングと前記シャッター部の駆動とを同期させる同期信号を受信する同期信号受信部と、前記同期信号の解析に用いられるプロトコルの情報であるプロトコル情報を記憶するプロトコル記憶部と、記憶媒体を接続する媒体接続部と、前記媒体接続部に前記プロトコル情報が記憶された記憶媒体が接続されているときは、前記記憶媒体に記憶されている前記プロトコル情報、及び前記同期信号に基づいて前記シャッター部を駆動させるシャッター駆動部とを備えることを特徴とする３Ｄ画像観賞用メガネである。
上記構成によれば、他のプロトコルを利用するために既存の３Ｄ画像観賞用メガネとは別に新たな３Ｄ画像観賞用メガネを購入しなくても、既存の３Ｄ画像観賞用メガネに他のプロトコルのプロトコル情報を記憶した記憶媒体を接続すれば、記憶媒体内の他のプロトコルのプロトコル情報を利用することができるため、新たな３Ｄ画像観賞用メガネの購入資金を節約することができる。また、将来、プロトコルが統一された場合にも、統一プロトコルのプロトコル情報を格納した記憶媒体を用意すれば足りるため、負担を抑えることができる。また、他のプロトコルは記憶媒体から読み出されて利用されるため、３Ｄ画像観賞用メガネの容量を考慮しなくてもよい。
【０００７】
上記３Ｄ画像観賞用メガネにおいて、前記シャッター駆動部は、前記媒体接続部に前記プロトコル情報が記憶された記憶媒体が接続されていないときは、前記プロトコル記憶部に記憶されている前記プロトコル情報、及び前記同期信号に基づいて前記シャッター部を駆動させるようにしてもよい。
上記構成によれば、記憶媒体が接続されていない場合、又は、接続されている記憶媒体からプロトコル情報が得られないときは、プロトコル記憶部に記憶されているプロトコルを利用することができるため、簡便に、再度、元のプロトコルを利用することができる。
【０００８】
上記３Ｄ画像観賞用メガネは、ユーザーからの指定を受け付ける指定受付部を更に備え、前記シャッター駆動部が、前記媒体接続部に接続されている記憶媒体に２以上の前記プロトコル情報が記憶されているときは、当該２以上の前記プロトコル情報の中から前記指定受付部によって指定された一の前記プロトコル情報を選択し、選択した一の前記プロトコル情報を用いて前記シャッター部を駆動するようにしてもよい。
上記構成によれば、記憶媒体内に２以上のプロトコル（情報）が記憶されているときに、所望のプロトコルを利用することができる。
【０００９】
上記３Ｄ画像観賞用メガネにおいて、前記シャッター駆動部は、前記同期信号受信部が前記同期信号を受信しているときに、前記媒体接続部に２以上の前記プロトコル情報が記憶されている記憶媒体が接続されたときは、当該２以上の前記プロトコル情報の中から受信中の同期信号の解析に適した一の前記プロトコル情報を選択し、選択した一の前記プロトコル情報を用いて前記シャッター部を駆動するようにしてもよい。
上記構成によれば、３Ｄ画像の視聴中に、２以上のプロトコル（情報）を記憶した記憶媒体を接続したときに、当該３Ｄ画像の視聴に適した一のプロトコルを自動的に利用することができる。
【００１０】
上記３Ｄ画像観賞用メガネは、前記媒体接続部に接続されている記憶媒体に記憶されている前記プロトコル情報を、前記プロトコル記憶部に追加するプロトコル更新部を更に備え、前記シャッター駆動部が、前記プロトコル更新部によって追加された前記プロトコル情報を用いて前記シャッター部を駆動するようにしてもよい。
上記構成によれば、他のプロトコルを利用するために既存の３Ｄ画像観賞用メガネとは別に新たな３Ｄ画像観賞用メガネを購入しなくても、既存の３Ｄ画像観賞用メガネに他のプロトコルのプロトコル情報を記憶した記憶媒体を接続すれば、記憶媒体内の他のプロトコルのプロトコル情報を既存の３Ｄ画像観賞用メガネに記憶することができるため、新たな３Ｄ画像観賞用メガネの購入資金を節約することができる。また、他のプロトコルは３Ｄ画像観賞用メガネ内に格納されるため、記憶媒体を外しても他のプロトコルを利用することができる。
【００１１】
上記３Ｄ画像観賞用メガネは、前記媒体接続部に接続された記憶媒体に記憶されている前記プロトコル情報の更新の要否を判断する更新判断部を更に備え、前記更新判断部が、前記同期信号受信部が前記同期信号を受信しているときは、前記媒体接続部に接続された記憶媒体に記憶されている前記プロトコル情報が、受信中の同期信号の解析に適しているか否かに基づいて、更新の要否を判断し、前記プロトコル更新部が、前記更新判断部によって更新を要すると判断された前記プロトコル情報を、前記プロトコル記憶部に追加するようにしてもよい。
上記記構成によれば、３Ｄ画像の視聴中に、当該３Ｄ画像の視聴に適したプロトコルを自動的に３Ｄ画像観賞用メガネ内に記憶して利用することができる。
【００１２】
上記問題を解決するために、本発明の他の態様は、３Ｄ画像を構成する左目用画像と右目用画像とを透過させるシャッター部と、前記左目用画像及び前記右目用画像の表示タイミングと前記シャッター部の駆動とを同期させる同期信号の解析に用いられるプロトコルの情報であるプロトコル情報を記憶するプロトコル記憶部と、記憶媒体を接続する媒体接続部とを備える３Ｄ画像観賞用メガネの制御方法であって、前記同期信号を受信し、前記媒体接続部に前記プロトコル情報を記憶した記憶媒体が接続されているときは、前記記憶媒体に記憶されている前記プロトコル情報、及び前記同期信号に基づいて前記シャッター部を駆動させることを特徴とする。
上記構成によれば、上記と同様の効果を得ることができる。
【図面の簡単な説明】
【００１３】
【図１】本発明の第１の実施形態による３Ｄメガネの機能ブロック図の一例である。
【図２】本発明の第１の実施形態による３Ｄメガネの動作の一例を示すフローチャートである。
【図３】本発明の第２の実施形態による３Ｄメガネの機能ブロック図の一例である。
【図４】本発明の第３の実施形態による３Ｄメガネの機能ブロック図の一例である。
【図５】本発明の第３の実施形態による３Ｄメガネの動作の一例を示すフローチャートである。
【発明を実施するための形態】
【００１４】
（第１の実施形態）
以下、本発明の第１の実施形態について図面を参照して詳細に説明する。図１は、本発明の第１の実施形態による３Ｄメガネ１０の機能ブロック図の一例である。３Ｄメガネ１０は、３Ｄ画像の観賞用のメガネである（後述する３Ｄメガネ１１、１２も同様）。３Ｄメガネ１０は、図１に示すように、同期信号受信部１００、シャッター駆動部１１０、シャッター部１２０、プロトコル取得部１３０、指定受付部１４０及びプロトコル記憶部１９０を備える。シャッター駆動部１１０は、プロトコル制御部１１２、信号解析部１１４及び駆動信号生成部１１６を有する。シャッター部１２０は、液晶パネルを含む左目シャッター１２０Ｌ及び右目シャッター１２０Ｒを有する。プロトコル取得部１３０は、媒体接続部１３２及び媒体制御部１３４を有する。
【００１５】
同期信号受信部１００は、無線通信によって、外部装置（非図示）から同期信号を受信する。ここで「無線通信」とは、赤外線通信などの、伝送路として線を使わない通信をいう。また同期信号とは、３Ｄ画像の出力タイミングと３Ｄメガネ１０とを同期させる信号（３Ｄ画像を構成する左目用画像及び右目用画像の表示タイミングとシャッター部１２０の駆動とを同期させる信号）である。外部装置とは、例えば、３Ｄ画像を出力する画像表示装置（例えば、プロジェクター、テレビ）、当該画像表示装置と通信する同期信号生成装置（例えば、エミッター）である。
同期信号受信部１００は、外部装置から受信した同期信号をシャッター駆動部１１０（信号解析部１１４）に出力する。
【００１６】
プロトコル記憶部１９０は、プロトコル情報を記憶する記憶部である。プロトコル情報とは、同期信号の解析に用いられるプロトコルの情報（同期用プロトコルファーム）である。なお、プロトコル記憶部１９０には、３Ｄメガネ１０の生産時（出荷前）に、一のプロトコル情報を記憶しておく。
【００１７】
媒体接続部１３２は、記憶媒体（例えば、マイクロＳＤカード）を接続する接続ユニットである。
【００１８】
媒体制御部１３４は、媒体接続部１３２を制御する。具体的には、媒体制御部１３４は、媒体接続部１３２における記憶媒体の着脱を検知する。媒体制御部１３４は、着脱の検知結果をシャッター駆動部１１０（プロトコル制御部１１２）に出力する。
例えば、媒体制御部１３４は、記憶媒体の接続を検知したときは、当該記憶媒体に記憶されている情報を読み出して、記憶媒体の接続を検知した旨の検知結果として、記憶媒体に記憶されている情報をプロトコル制御部１１２に出力する。また例えば、媒体制御部１３４は、記憶媒体の取り外しを検知したときは、記憶媒体の取り外しを検知した旨の検知結果として、記憶媒体が取り外された旨の通知をプロトコル制御部１１２に出力する。
【００１９】
プロトコル制御部１１２は、同期信号の解析に用いるプロトコル情報を制御する。具体的には、プロトコル制御部１１２は、信号解析部１１４に出力するプロトコル情報を選択する。
より詳細には、プロトコル制御部１１２は、媒体制御部１３４からプロトコル情報（記憶媒体の接続を検知した旨の検知結果）を取得しなかったとき（即ち、媒体接続部１３２にプロトコル情報が記憶された記憶媒体が接続されていないとき）、又は、媒体制御部１３４から記憶媒体が取り外された旨の通知を取得したとき（即ち、媒体接続部１３２から記憶媒体が取り外されたとき）は、プロトコル記憶部１９０に記憶されているプロトコル情報を信号解析部１１４に出力する。
一方、プロトコル制御部１１２は、媒体制御部１３４からプロトコル情報（記憶媒体の接続を検知した旨の検知結果）を取得したとき（即ち、媒体接続部１３２にプロトコル情報が記憶された記憶媒体が接続されているとき）は、媒体制御部１３４から取得したプロトコル情報（記憶媒体に記憶されているプロトコル情報）を信号解析部１１４に出力する。
【００２０】
なお、プロトコル制御部１１２は、媒体接続部１３２に記憶媒体が接続されている場合において、当該記憶媒体に記憶されているプロトコル情報に加え、当該記憶媒体に記憶されているプロトコル情報以外の情報（不要な情報）も媒体制御部１３４から取得し、媒体制御部１３４から取得した情報がプロトコル情報であるか否かを判断し、媒体制御部１３４から取得した情報のうちプロトコル情報のみを信号解析部１１４に出力してもよい。
【００２１】
また、プロトコル制御部１１２は、媒体接続部１３２に記憶媒体が接続されている場合において、媒体制御部１３４から当該記憶媒体に記憶されているプロトコル情報のみを取得し、当該プロトコル情報を信号解析部１１４に出力してもよい。換言すれば、媒体制御部１３４は、プロトコル情報に加え、プロトコル情報以外の情報を記憶した記憶媒体が媒体接続部１３２に接続されている場合において、当該記憶媒体に記憶されている情報がプロトコル情報であるか否かを判断し、当該記憶媒体に記憶されている情報のうちプロトコル情報のみをプロトコル制御部１１２に出力してもよい。
【００２２】
なお、プロトコル制御部１１２は、媒体制御部１３４から２以上のプロトコル情報を取得したとき（媒体接続部１３２に接続されている記憶媒体に２以上のプロトコル情報が記憶されているとき）は、上記２以上のプロトコル情報を信号解析部１１４に出力する。
【００２３】
信号解析部１１４は、同期信号受信部１００から同期信号を取得する。信号解析部１１４は、同期信号を取得した場合、プロトコル制御部１１２から出力されたプロトコル情報を用いて同期信号を解析する。つまり、信号解析部１１４は、媒体接続部１３２にプロトコル情報が記憶された記憶媒体が接続されていないときは、プロトコル記憶部１９０に記憶されているプロトコル情報を用いて同期信号を解析する。一方、信号解析部１１４は、媒体接続部１３２にプロトコル情報が記憶された記憶媒体が接続されているときは、当該記憶媒体に記憶されているプロトコル情報を用いて同期信号を解析する。
【００２４】
駆動信号生成部１１６は、信号解析部１１４から同期信号の解析結果を取得する。駆動信号生成部１１６は、同期信号の解析結果を取得した場合、当該解析結果に基づいてシャッター部１２０を駆動させる信号（以下、「シャッター駆動信号」という）を生成する。駆動信号生成部１１６は、シャッター駆動信号をシャッター部１２０に出力する。
【００２５】
シャッター部１２０の左目シャッター１２０Ｌは、画像表示装置が出力する３Ｄ画像（例えば、プロジェクターが投射した３Ｄ画像、テレビが表示する３Ｄ画像）の左目用画像を透過し、右目用画像を遮断する機能を有する。一方、右目シャッター１２０Ｒは、画像表示装置が出力する３Ｄ画像の右目用画像を透過し、左目用画像を遮断する機能を有する。
【００２６】
シャッター部１２０は、シャッター駆動信号を駆動信号生成部１１６から取得し、シャッター駆動信号に従って、左目シャッター１２０Ｌ、右目シャッター１２０Ｒを交互に駆動させる。これにより、３Ｄメガネ１０を通して３Ｄ画像を視た場合、ユーザーの左目と右目に交互に、左目用画像と右目用画像とが透過され、意図したように３Ｄ画像を見ることができる。
【００２７】
以上のように、シャッター駆動部１１０は、媒体接続部１３２にプロトコル情報が記憶された記憶媒体が接続されているときは、当該記憶媒体に記憶されているプロトコル情報、及び、同期信号受信部１００によって受信された同期信号に基づいて、シャッター部１２０を駆動する。また、シャッター駆動部１１０は、媒体接続部１３２にプロトコル情報が記憶された記憶媒体が接続されていないときは、プロトコル記憶部１９０に記憶されているプロトコル情報、及び、同期信号受信部１００によって受信された同期信号に基づいて、シャッター部１２０を駆動する。
【００２８】
なお、信号解析部１１４は、プロトコル制御部１１２から２以上のプロトコル情報を取得したとき（媒体接続部１３２に接続されている記憶媒体に２以上のプロトコル情報が記憶されているとき）は、当該２以上のプロトコル情報の中から選択した一のプロトコル情報を用いて同期信号を解析する。例えば、信号解析部１１４は、プロトコル制御部１１２から２以上のプロトコル情報を取得したときは、当該２以上のプロトコル情報の夫々の作成日時、バージョンなどに基づいて一のプロトコル情報を選択し、選択した一のプロトコル情報を用いて同期信号を解析する。
【００２９】
また、信号解析部１１４は、プロトコル制御部１１２から２以上のプロトコル情報を取得したときに、当該２以上のプロトコル情報の中から、指定受付部１４０によって指定された一のプロトコル情報を選択し、選択した一のプロトコル情報を用いて同期信号を解析してもよい。つまり、シャッター駆動部１１０は、媒体接続部１３２に接続されている記憶媒体に２以上のプロトコル情報が記憶されているときは、当該２以上のプロトコル情報の中から指定受付部１４０によって指定された一のプロトコル情報を選択し、選択した一のプロトコル情報を用いてシャッター部１２０を駆動してもよい。なお、指定受付部１４０による一のプロトコル情報の指定については後述する。
【００３０】
また、信号解析部１１４は、同期信号の受信中に、２以上のプロトコル情報を取得したときに、当該２以上のプロトコル情報の中から、受信中の同期信号の解析に適した一のプロトコル情報を選択し、選択した一のプロトコル情報を用いて同期信号を解析してもよい。より詳細には、信号解析部１１４は、当該２以上のプロトコル情報の夫々を用いて同期信号の解析し、夫々のプロトコル情報を用いて解析した夫々の解析結果のうち最も尤もらしい解析結果が得られた一のプロトコル情報を選択し、選択した一のプロトコル情報を用いて同期信号を解析してもよい。つまり、シャッター駆動部１１０は、同期信号受信部１００が同期信号を受信しているときに、媒体接続部１３４に２以上のプロトコル情報が記憶されている記憶媒体が接続されたときは、当該２以上のプロトコル情報の中から受信中の同期信号の解析に適した一のプロトコル情報を選択し、選択した一のプロトコル情報を用いてシャッター部１２０を駆動してもよい。
【００３１】
指定受付部１４０は、ユーザーからの指定を受け付ける。例えば、媒体接続部１３０に接続されている記憶媒体に２以上のプロトコル情報が記憶されているときに、当該２以上のプロトコル情報の中から一のプロトコル情報の指定を受け付けるようにしてもよい。具体的には、指定受付部１４０は、プロトコル制御部１１２が信号解析部１１４に出力した（又は出力しようとする）２以上のプロトコル情報の種類を示す情報を表示部（非図示）に表示し、表示部にて記憶媒体に記憶されている２以上のプロトコル情報を確認したユーザーから一のプロトコル情報の指定を受け付けるようにしてもよい。なお、３Ｄメガネ１０が上述の表示部を備えていてもよいし、３Ｄメガネ１０と通信する他の装置（非図示）が上述の表示部を備えてもよい。
【００３２】
指定受付部１４０は、ユーザーから指定を受け付けた場合には、指定内容をプロトコル制御部１１２に通知する。例えば、指定受付部１４０は、媒体接続部１３２に接続されている記憶媒体に２以上のプロトコル情報が記憶されているときに、当該２以上のプロトコル情報の中から一のプロトコル情報の指定を受け付けたときは、当該一のプロトコル情報を特定する情報をプロトコル制御部１１２に通知する。なお、プロトコル制御部１１２は、当該通知を信号解析部１１４に通知（転送）してもよい。
【００３３】
以下、図２を参照して、３Ｄメガネ１０の動作を説明する。図２は、本発明の第１の実施形態による３Ｄメガネ１０の動作の一例を示すフローチャートである。図２に示すフローチャートは、同期信号の受信開始により開始する。なお、図２に示すフローチャートの開始時において媒体接続部１３２には記憶媒体が接続されていないものとする。
【００３４】
媒体制御部１３４は、媒体接続部１３２における記憶媒体の接続を検知したか否かを判断する（ステップＳ１００）。
【００３５】
ステップＳ１００において、媒体制御部１３４が記憶媒体の接続を検知していない場合（ステップＳ１００：Ｎｏ）、信号解析部１１４は、プロトコル記憶部１９０に記憶されているプロトコル情報を用いて、同期信号受信部１００から取得中の同期信号を解析する（ステップＳ１４０）。
【００３６】
つまり、媒体接続部１３２に記憶媒体が接続されていないときは、信号解析部１１４は、プロトコル記憶部１９０に記憶されているプロトコル情報を内部に一時記憶し、当該一時記憶しているプロトコル情報を用いて、同期信号受信部１００から取得中の同期信号を解析する。
同期信号を解析した信号解析部１１４は、同期信号の解析結果を駆動信号生成部１１６に出力する。
【００３７】
同期信号の解析結果を取得した駆動信号生成部１１６は、当該解析結果に基づいてシャッター駆動信号を生成し、シャッター部１２０に出力することにより、シャッター部１２０を駆動させる（ステップＳ１５０）。
【００３８】
ステップＳ１５０に続いて、終了判断部（非図示）は、処理の終了を判断する（ステップＳ１６０）。例えば、終了判断部は、同期信号受信部１００が同期信号を受信しなくなった場合、又は、電力供給部（非図示）が、電源スイッチ（非図示）のオフを検出した場合などに、処理終了であると判断する。ステップＳ１６０において、終了判断部が処理終了であると判断した場合（ステップＳ１６０：Ｙｅｓ）、本フローチャートは終了する。一方、ステップＳ１６０において、終了判断部が処理終了でないと判断した場合（ステップＳ１６０：Ｎｏ）、ステップＳ１００に戻る。
【００３９】
一方、ステップＳ１００において、媒体制御部１３４は、記憶媒体の接続を検知した場合（ステップＳ１００：Ｙｅｓ）、記憶媒体に記憶されている情報をプロトコル制御部１１２に出力する。記憶媒体に記憶されている情報を取得したプロトコル制御部１１２は、媒体制御部１３４から取得した情報（即ち、記憶媒体に記憶されている情報）の中に、プロトコル情報が含まれているか否かを判断する（ステップＳ１１０）。プロトコル制御部１１２が、プロトコル情報が含まれていないと判断した場合（ステップＳ１１０：Ｎｏ）、ステップＳ１４０に進む。
【００４０】
一方、ステップＳ１１０において、プロトコル制御部１１２は、プロトコル情報が含まれていると判断した場合（ステップＳ１１０：Ｙｅｓ）、当該プロトコル情報を信号解析部１１４に出力する。プロトコル制御部１１２からプロトコル情報を取得した信号解析部１１４は、２以上のプロトコル情報を取得したか否かを判断する（ステップＳ１２０）。
【００４１】
ステップＳ１２０において、信号解析部１１４は、２以上のプロトコル情報を取得したと判断した場合（ステップＳ１２０：Ｙｅｓ）、当該２以上のプロトコル情報の中から一のプロトコル情報を選択する（ステップＳ１３０）。例えば、信号解析部１１４は、指定受付部１４０によって指定された一のプロトコル情報を選択する。また、例えば、信号解析部１１４は、受信中の同期信号の解析に適した一のプロトコル情報を選択する。
【００４２】
一方、ステップＳ１２０において、信号解析部１１４が、２以上のプロトコル情報を取得していないと判断した場合（ステップＳ１２０：Ｎｏ）、上記ステップＳ１３０は飛ばして、ステップＳ１４２に進む。つまり、記憶媒体にプロトコル情報が１つしか含まれていない場合には、ステップＳ１３０は飛ばして、ステップＳ１４２に進む。
【００４３】
ステップＳ１３０又はステップＳ１２０（Ｎｏ）に続いて、信号解析部１１４は、プロトコル制御部１１２から取得したプロトコル情報（２以上のプロトコル情報をプロトコル制御部１１２から取得した場合には、選択した一のプロトコル情報）を用いて、同期信号受信部１００から取得中の同期信号を解析する（ステップＳ１４２）。換言すれば、信号解析部１１４は、記憶媒体に記憶されているプロトコル情報（２以上のプロトコル情報が記憶されている場合には、選択した一のプロトコル情報）を用いて、同期信号受信部１００から取得中の同期信号を解析する。
【００４４】
つまり、媒体接続部１３２に記憶媒体が接続されているときは、信号解析部１１４は、記憶媒体に記憶されているプロトコル情報を内部に一時記憶し、当該一時記憶しているプロトコル情報を用いて、同期信号受信部１００から取得中の同期信号を解析する。
同期信号を解析した信号解析部１１４は、同期信号の解析結果を駆動信号生成部１１６に出力する。
【００４５】
同期信号の解析結果を取得した駆動信号生成部１１６は、上記ステップＳ１５０と同様に、当該解析結果に基づいてシャッター駆動信号を生成し、シャッター部１２０に出力することにより、シャッター部１２０を駆動させる（ステップＳ１５２）。
【００４６】
ステップＳ１５２に続いて、終了判断部は、上記ステップＳ１６０と同様に、処理の終了を判断する（ステップＳ１６２）。ステップＳ１６２において、終了判断部が処理終了であると判断した場合（ステップＳ１６２：Ｙｅｓ）、本フローチャートは終了する。
【００４７】
一方、ステップＳ１６２において、終了判断部が処理終了でないと判断した場合（ステップＳ１６２：Ｎｏ）、媒体制御部１３４は、媒体接続部１３２における記憶媒体の取り外しを検知したか否かを判断する（ステップＳ１７０）。ステップＳ１７０において、媒体制御部１３４が記憶媒体の取り外しを検知した場合（ステップＳ１７０：Ｙｅｓ）、ステップＳ１００に戻る。ステップＳ１７０において、媒体制御部１３４が記憶媒体の取り外しを検知していない場合（ステップＳ１７０：Ｎｏ）、ステップＳ１４２に戻る。
【００４８】
以上、本発明の第１の実施形態による３Ｄメガネ１０について説明したが、３Ｄメガネ１０によれば、他のプロトコルを利用するために既存の３Ｄメガネとは別に新たな３Ｄメガネを購入しなくても、既存の３Ｄメガネに他のプロトコルのプロトコル情報を記憶した記憶媒体を接続すれば、記憶媒体内の他のプロトコルのプロトコル情報を利用することができるため、新たな３Ｄメガネの購入資金を節約することができる。また、将来、プロトコルが統一された場合にも、統一プロトコルのプロトコル情報を格納した記憶媒体を用意すれば足りるため、負担を抑えることができる。また、他のプロトコルは記憶媒体から読み出されて利用されるため、３Ｄメガネの容量を考慮しなくてもよい。
【００４９】
（第２の実施形態）
以下、本発明の第２の実施形態について図面を参照して詳細に説明する。図３は、本発明の第２の実施形態による３Ｄメガネ１１の機能ブロック図の一例である。３Ｄメガネ１１は、図３に示すように、同期信号受信部１００、シャッター駆動部２１０、シャッター部１２０、プロトコル取得部１３０、指定受付部２４０、プロトコル更新部２５０及びプロトコル記憶部２９０を備える。シャッター駆動部２１０は、プロトコル制御部２１２、信号解析部１１４及び駆動信号生成部１１６を有する。シャッター部１２０は、左目シャッター１２０Ｌ及び右目シャッター１２０Ｒを有する。プロトコル取得部１３０は、媒体接続部１３２及び媒体制御部１３４を有する。
【００５０】
なお、第２の実施形態における３Ｄメガネ１１が有する、同期信号受信部１００、信号解析部１１４、駆動信号生成部１１６、シャッター部１２０及びプロトコル取得部１３０は、第１の実施形態における３Ｄメガネ１０が有する、同期信号受信部１００、信号解析部１１４、駆動信号生成部１１６、シャッター部１２０及びプロトコル取得部１３０と同様の機能であるため、説明を省略する。
【００５１】
プロトコル記憶部２９０は、プロトコル情報を記憶する記憶部である。なお、プロトコル記憶部２９０は、３Ｄメガネ１１の生産時には一のプロトコル情報を記憶するが、プロトコル更新部２５０による更新（追加）処理後には生産時に記憶した一のプロトコル情報に加え、更新により追加された他のプロトコル情報も記憶する。
【００５２】
プロトコル更新部２５０は、媒体接続部１３２に記憶媒体が接続されている場合において、媒体制御部１３４から当該記憶媒体に記憶されている情報を取得する。プロトコル更新部２５０は、媒体制御部１３４からプロトコル情報を取得した場合、当該プロトコル情報をプロトコル記憶部２９０に追加する。但し、プロトコル更新部２５０は、追加予定のプロトコル情報が既にプロトコル記憶部２９０に記憶されている場合には、当該追加予定のプロトコル情報をプロトコル記憶部２９０に追加しない。
【００５３】
なお、プロトコル更新部２５０は、媒体接続部１３２に記憶媒体が接続されている場合において、当該記憶媒体に記憶されているプロトコル情報に加え、当該記憶媒体に記憶されているプロトコル情報以外の情報（不要な情報）も媒体制御部１３４から取得し、媒体制御部１３４から取得した情報がプロトコル情報であるか否かを判断し、媒体制御部１３４から取得した情報のうちプロトコル情報のみをプロトコル記憶部２９０に追加してもよい。また、プロトコル更新部２５０は、媒体接続部１３２に記憶媒体が接続されている場合において、媒体制御部１３４から当該記憶媒体に記憶されているプロトコル情報のみを取得し、当該プロトコル情報をプロトコル記憶部２９０に追加してもよい。換言すれば、媒体制御部１３４は、プロトコル情報に加え、プロトコル情報以外の情報を記憶した記憶媒体が媒体接続部１３２に接続されている場合において、当該記憶媒体に記憶されている情報がプロトコル情報であるか否かを判断し、当該記憶媒体に記憶されている情報のうちプロトコル情報のみをプロトコル更新部２５０に出力してもよい。
【００５４】
また、プロトコル更新部２５０は、媒体制御部１３４から２以上のプロトコル情報を取得したとき（媒体接続部１３２に接続されている記憶媒体に２以上のプロトコル情報が記憶されているとき）は、夫々のプロトコル情報の作成日時、バージョンなどに基づいて一のプロトコル情報を選択し、選択した一のプロトコル情報をプロトコル記憶部２９０に追加してもよい。
【００５５】
また、プロトコル更新部２５０は、媒体制御部１３４から２以上のプロトコル情報を取得したときは、上記に代えて、指定受付部２４０によって指定されたプロトコル情報をプロトコル記憶部２９０に追加してもよい。
【００５６】
また、プロトコル更新部２５０は、媒体制御部１３４から２以上のプロトコル情報を取得したときは、上記に代えて、媒体制御部１３４から取得した全てのプロトコル情報をプロトコル記憶部２９０に追加してもよい。
【００５７】
プロトコル制御部２１２は、同期信号の解析に用いるプロトコル情報を制御する。具体的には、プロトコル制御部２１２は、プロトコル記憶部２９０に、プロトコル更新部２５０によって追加されたプロトコル情報が存在しているときは、当該追加されたプロトコル情報を信号解析部１１４に出力し、プロトコル記憶部２９０に、プロトコル更新部２５０によって追加されたプロトコル情報が存在していないときは、出荷前に記憶されたプロトコル情報を信号解析部１１４に出力する。
【００５８】
即ち、媒体接続部１３２にプロトコル情報が記憶された記憶媒体が接続された場合には、当該記憶媒体に記憶されているプロトコル情報はプロトコル更新部２５０によってプロトコル記憶部２９０に追加され、プロトコル制御部２１２によって信号解析部１１４に出力され、信号解析部１１４において同期信号の解析に用いられるようになる。つまり、シャッター駆動部２１０は、プロトコル更新部２５０によって追加されたプロトコル情報を用いてシャッター部１２０を駆動する。
【００５９】
なお、プロトコル更新部２５０によってプロトコル記憶部２９０に追加されたプロトコル情報が２以上存在する場合には、例えば、以下のように制御してもよい。
【００６０】
例えば、異なるタイミングにおいてプロトコル記憶部２９０にプロトコル情報が順次追加されている場合には、例えば、プロトコル制御部２１２は、記憶された日時を参照して、最後に追加されたプロトコル情報を信号解析部１１４に出力する。信号解析部１１４は、プロトコル制御部２１２から取得したプロトコル情報（最後に追加されたプロトコル情報）を用いて同期信号を解析する。
【００６１】
なお、最後に追加されたプロトコル情報が２以上存在する場合には、信号解析部１１４は、プロトコル制御部２１２から２以上のプロトコル情報を取得することになるが、同期信号を受信中であるときは、信号解析部１１４は、受信中の同期信号の解析に適した一のプロトコル情報を選択し、選択したプロトコル情報を用いて同期信号を解析してもよい。
【００６２】
具体例を用いて説明する。例えば、出荷前にプロトコル情報Ａが記憶されたプロトコル記憶部２９０に、出荷後にプロトコル情報Ｂが追加され、後にプロトコル情報Ｃが追加記憶された状態においては、最後に追加されたプロトコル情報Ｃが信号解析部１１４による解析に適用される。上記状態（プロトコル情報Ａ、Ｂ、Ｃが記憶されている状態）から更に、プロトコル情報Ｄ及びプロトコル情報Ｅが同時に追加された状態においては、最後に追加されたプロトコル情報Ｄ、Ｅのうち受信中の同期信号の解析に適した一のプロトコル情報が信号解析部１１４による解析に適用される。上記状態（プロトコル情報Ａ、Ｂ、Ｃ、Ｄ、Ｅが記憶されている状態）から更に、プロトコル情報Ｆが追加された状態においては、最後に追加されたプロトコル情報Ｆが信号解析部１１４による解析に適用される。
【００６３】
また例えば、上述の制御に代えて、信号解析部１１４は、プロトコル記憶部２９０に追加された全てのプロトコル情報（若しくは、出荷前のプロトコル情報を含めた全てのプロトコル情報）の中から、指定受付部２４０によって指定された一のプロトコル情報を用いて同期信号を解析してもよい。
【００６４】
また例えば、同期信号を受信中であるときは、信号解析部１１４は、プロトコル記憶部２９０に追加された全てのプロトコル情報（若しくは、出荷前のプロトコル情報を含めた全てのプロトコル情報）の中から、受信中の同期信号の解析に適した一のプロトコル情報を選択し、選択したプロトコル情報を用いて同期信号を解析してもよい。
【００６５】
指定受付部２４０は、ユーザーからの指定を受け付ける。例えば、プロトコル記憶部２９０に２以上のプロトコル情報が記憶されているときに、当該２以上のプロトコル情報の中から一のプロトコル情報の指定を受け付けるようにしてもよい。具体的には、指定受付部２４０は、プロトコル更新部２５０が媒体制御部１３４から取得した２以上のプロトコル情報の種類を示す情報を表示部（非図示）に表示し、表示部にて記憶媒体に記憶されている２以上のプロトコル情報を確認したユーザーから一のプロトコル情報の指定を受け付けるようにしてもよい。また、指定受付部２４０は、プロトコル制御部２１２が信号解析部１１４に出力した（又は出力しようとする）２以上のプロトコル情報の種類を示す情報を表示部（非図示）に表示し、表示部にて記憶媒体に記憶されている２以上のプロトコル情報を確認したユーザーから一のプロトコル情報の指定を受け付けるようにしてもよい。
【００６６】
指定受付部２４０は、ユーザーから指定を受け付けた場合には、指定内容をプロトコル更新部２５０、又は、プロトコル制御部２１２に通知する。なお、プロトコル制御部２１２は、当該通知を信号解析部１１４に通知（転送）してもよい。
【００６７】
以上、本発明の第２の実施形態による３Ｄメガネ１１について説明したが、３Ｄメガネ１１によれば、他のプロトコルを利用するために既存の３Ｄメガネとは別に新たな３Ｄメガネを購入しなくても、既存の３Ｄメガネに他のプロトコルのプロトコル情報を記憶した記憶媒体を接続すれば、記憶媒体内の他のプロトコルのプロトコル情報を既存の３Ｄメガネに記憶することができるため、新たな３Ｄメガネの購入資金を節約することができる。また、他のプロトコルは３Ｄメガネ内に格納されるため、記憶媒体を外しても他のプロトコルを利用することができる。
【００６８】
（第３の実施形態）
以下、本発明の第３の実施形態について図面を参照して詳細に説明する。図４は、本発明の第３の実施形態による３Ｄメガネ１２の機能ブロック図の一例である。３Ｄメガネ１２は、図４に示すように、同期信号受信部１００、シャッター駆動部２１０、シャッター部１２０、プロトコル取得部１３０、指定受付部１４０、プロトコル更新部３５０、更新判断部３６０及びプロトコル記憶部２９０を備える。シャッター駆動部２１０は、プロトコル制御部２１２、信号解析部１１４及び駆動信号生成部１１６を有する。シャッター部１２０は、左目シャッター１２０Ｌ及び右目シャッター１２０Ｒを有する。プロトコル取得部１３０は、媒体接続部１３２及び媒体制御部１３４を有する。
【００６９】
なお、第３の実施形態における３Ｄメガネ１２が有する、同期信号受信部１００、信号解析部１１４、駆動信号生成部１１６、シャッター部１２０、プロトコル取得部１３０及び指定受付部１４０は、第１の実施形態における３Ｄメガネ１０が有する、同期信号受信部１００、信号解析部１１４、駆動信号生成部１１６、シャッター部１２０、プロトコル取得部１３０及び指定受付部１４０と同様の機能であり、第３の実施形態における３Ｄメガネ１２が有する、プロトコル制御部２１２及びプロトコル記憶部２９０は、第２の実施形態における３Ｄメガネ１１が有する、プロトコル制御部２１２及びプロトコル記憶部２９０と同様の機能であるため、説明を省略する。
【００７０】
プロトコル更新部３５０は、媒体接続部１３２に記憶媒体が接続されている場合において、媒体制御部１３４から当該記憶媒体に記憶されている情報を取得する。媒体制御部１３４からプロトコル情報を取得したプロトコル更新部３５０は、更新判断部３６０の制御に従って、プロトコル情報をプロトコル記憶部２９０に追加する。具体的には、プロトコル更新部３５０は、媒体制御部１３４から取得したプロトコル情報であって更新判断部３６０によって更新を要すると判断されたプロトコル情報をプロトコル記憶部２９０に追加する。例えば、プロトコル更新部３５０は、媒体制御部１３４から取得したプロトコル情報を更新判断部３６０に出力し、当該プロトコル情報について更新判断部３６０から更新を要する旨の判断結果を取得した場合に、当該プロトコル情報をプロトコル記憶部２９０に追加する。
【００７１】
なお、プロトコル更新部３５０は、媒体制御部１３４から２以上のプロトコル情報を取得したとき（媒体接続部１３２に接続されている記憶媒体に２以上のプロトコル情報が記憶されているとき）は、当該２以上のプロトコル情報を更新判断部３６０に出力する。
【００７２】
また、プロトコル更新部３５０は、更新判断部３６０によって更新を要すると判断されたプロトコル情報が、既にプロトコル記憶部２９０に記憶されている場合には、第２の実施形態におけるプロトコル更新部２５０と同様、当該プロトコル情報をプロトコル記憶部２９０に追加しない。
【００７３】
更新判断部３６０は、プロトコル更新部３５０からプロトコル情報（媒体接続部１３２に接続された記憶媒体に記憶されているプロトコル情報）を取得する。更新判断部３６０は、プロトコル更新部３５０からプロトコル情報を取得した場合、プロトコル更新部３５０から取得したプロトコル情報についてプロトコル記憶部２９０への更新の要否を判断する。
【００７４】
具体的には、更新判断部３６０は、信号解析部１１４が同期信号を受信しているときに、プロトコル更新部３５０からプロトコル情報を取得した場合には、プロトコル更新部３５０から取得したプロトコル情報が、受信中の同期信号の解析に適しているか否かに基づいて更新の要否を判断する。なお、更新判断部３６０は、同期信号を受信中であるか否かについて、例えば、信号解析部１１４に問い合せて確認する。
【００７５】
例えば、更新判断部３６０は、同期信号を受信中の信号解析部１１４に、プロトコル更新部３５０から取得したプロトコル情報を出力する。更新判断部３６０からプロトコル情報を取得した信号解析部１１４は、更新判断部３６０から取得したプロトコル情報を用いて受信中の同期信号を解析し、解析結果が尤もらしいときは当該プロトコル情報が解析に適する旨の解析結果を更新判断部３６０に通知し、解析結果が尤もらしくないときは当該プロトコル情報が解析に適しない旨の解析結果を更新判断部３６０に通知する。更新判断部３６０は、解析に適する旨の解析結果を信号解析部１１４から取得した場合には、当該プロトコル情報の更新は必要であると判断し、プロトコル更新部３５０に更新を要する旨の判断結果を出力し、解析に適しない旨の解析結果を信号解析部１１４から取得した場合には、当該プロトコル情報の更新は必要でないと判断し、プロトコル更新部３５０に更新を要しない旨の判断結果を出力する。
【００７６】
なお、更新判断部３６０は、信号解析部１１４が同期信号を受信していないときに、プロトコル更新部３５０からプロトコル情報を取得した場合には、プロトコル更新部３５０から取得したプロトコル情報を信号解析部１１４に出力せずに、更新は必要であると判断してもよい。
【００７７】
なお、更新判断部３６０は、プロトコル更新部３５０から２以上のプロトコル情報を取得したとき（媒体接続部１３２に接続されている記憶媒体に２以上のプロトコル情報が記憶されているとき）は、当該２以上のプロトコル情報について更新の要否を判断する。
【００７８】
以下、図５を参照して、３Ｄメガネ１２の動作を説明する。図５は、本発明の第３の実施形態による３Ｄメガネ１２の動作の一例を示すフローチャートである。図５に示すフローチャートは、同期信号の受信開始により開始する。なお、図５に示すフローチャートの開始時において媒体接続部１３２には記憶媒体が接続されていないものとする。
【００７９】
媒体制御部１３４は、媒体接続部１３２における記憶媒体の接続を検知したか否かを判断する（ステップＳ２００）。ステップＳ２００において、記憶媒体の接続を検知した場合（ステップＳ２００：Ｙｅｓ）、媒体制御部１３４は記憶媒体に記憶されている情報をプロトコル更新部３５０に出力する。記憶媒体に記憶されている情報を取得したプロトコル更新部３５０は、媒体制御部１３４から取得した情報の中にプロトコル情報が含まれているか否かを判断する（ステップＳ２１０）。プロトコル更新部３５０は媒体制御部１３４から取得した情報の中にプロトコル情報が含まれていると判断した場合（ステップＳ２１０：Ｙｅｓ）、当該プロトコル情報を更新判断部３６０に出力する。
【００８０】
プロトコル情報を取得した更新判断部３６０は、当該プロトコル情報の更新の要否を判断する（ステップＳ２２０）。例えば、更新判断部３６０は、プロトコル更新部３５０から取得したプロトコル情報が、受信中の同期信号の解析に適しているか否かに基づいて、当該プロトコル情報の更新の要否を判断する。更新判断部３６０が更新は必要であると判断した場合（ステップＳ２２０：Ｙｅｓ）、プロトコル更新部３５０は、更新判断部３６０から更新を要する旨の判断結果を取得し、当該プロトコル情報をプロトコル記憶部２９０に追加する（ステップＳ２３０）。
【００８１】
一方、媒体制御部１３４が記憶媒体の接続を検知していない場合（ステップＳ２００：Ｎｏ）、又は、プロトコル更新部３５０が媒体制御部１３４から取得した情報の中にプロトコル情報が含まれていないと判断した場合（ステップＳ２１０：Ｎｏ）、又は、更新判断部３６０が更新は必要でないと判断した場合（ステップＳ２２０：Ｎｏ）には、ステップＳ２４０に進む。
【００８２】
ステップＳ２３０、ステップＳ２００（Ｎｏ）、ステップＳ２１０（Ｎｏ）又はステップＳ２２０（Ｎｏ）に続いて、信号解析部１１４は、プロトコル記憶部２９０に記憶されているプロトコル情報を用いて、同期信号受信部１００から取得中の同期信号を解析する（ステップＳ２４０）。より詳細には、信号解析部１１４は、プロトコル記憶部２９０にプロトコル更新部３５０によって追加されたプロトコル情報が存在しない場合には、出荷前に記憶されたプロトコル情報を用いて同期信号を解析し、プロトコル記憶部２９０にプロトコル更新部３５０によって追加されたプロトコル情報が存在する場合には、当該追加されたプロトコル情報（追加されたプロトコル情報が２つ以上存在する場合には、例えば、最後に追加されたプロトコル情報）を用いて同期信号を解析する。
【００８３】
同期信号の解析結果を取得した駆動信号生成部１１６は、当該解析結果に基づいてシャッター駆動信号を生成し、シャッター部１２０に出力することにより、シャッター部１２０を駆動させる（ステップＳ２５０）。ステップＳ２５０に続いて、終了判断部は、処理の終了を判断する（ステップＳ２６０）。ステップＳ２６０において、終了判断部が処理終了であると判断した場合（ステップＳ２６０：Ｙｅｓ）、本フローチャートは終了する。一方、ステップＳ２６０において、終了判断部が処理終了でないと判断した場合（ステップＳ２６０：Ｎｏ）、媒体制御部１３４は、媒体接続部１３２における記憶媒体の取り外しを検知したか否かを判断する（ステップＳ２７０）。ステップＳ２７０において、媒体制御部１３４が記憶媒体の取り外しを検知した場合（ステップＳ２７０：Ｙｅｓ）、ステップＳ２００に戻る。ステップＳ２７０において、媒体制御部１３４が記憶媒体の取り外しを検知していない場合（ステップＳ２７０：Ｎｏ）、ステップＳ２４０に戻る。
【００８４】
以上、本発明の第３の実施形態による３Ｄメガネ１２について説明したが、３Ｄメガネ１２によれば、３Ｄ画像の視聴中に、当該３Ｄ画像の視聴に適したプロトコルを自動的に３Ｄメガネ内に記憶して利用することができる。
【００８５】
以上、本発明の各実施形態によれば、既存の３Ｄメガネを複数のプロトコルに対応させることができるようになるため、新たなプロトコルに対応した新たな３Ｄメガネを購入する必要が無くなる。従って、新たな３Ｄメガネの購入資金を節約することができる。
【００８６】
なお、第２の実施形態による３Ｄメガネ１１（第３の実施形態による３Ｄメガネ１２も同様）に、プロトコル記憶部２９０に記憶されているプロトコル情報を削除する削除機能を設けてもよい。
【００８７】
なお、本発明の各実施形態による各３Ｄメガネの処理を実行するためのプログラムをコンピューター読み取り可能な記録媒体に記録して、当該記録媒体に記録されたプログラムをコンピューターシステムに読み込ませ、実行することにより、各３Ｄメガネを実現させてもよい。なお、ここでいう「コンピューターシステム」とは、ＯＳや周辺機器等のハードウェアを含むものであってもよい。また、「コンピューターシステム」は、ＷＷＷシステムを利用している場合であれば、ホームページ提供環境（あるいは表示環境）も含むものとする。また、「コンピューター読み取り可能な記録媒体」とは、フレキシブルディスク、光磁気ディスク、ＲＯＭ、フラッシュメモリー等の書き込み可能な不揮発性メモリー、ＣＤ−ＲＯＭ等の可搬媒体、コンピューターシステムに内蔵されるハードディスク等の記憶装置のことをいう。
【００８８】
さらに「コンピューター読み取り可能な記録媒体」とは、インターネット等のネットワークや電話回線等の通信回線を介してプログラムが送信された場合のサーバーやクライアントとなるコンピューターシステム内部の揮発性メモリー（例えばＤＲＡＭ（Dynamic Random Access Memory））のように、一定時間プログラムを保持しているものも含むものとする。また、上記プログラムは、このプログラムを記憶装置等に格納したコンピューターシステムから、伝送媒体を介して、あるいは、伝送媒体中の伝送波により他のコンピューターシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピューターシステムにすでに記録されているプログラムとの組み合わせで実現できるもの、いわゆる差分ファイル（差分プログラム）であっても良い。
【００８９】
以上、この発明の実施形態について図面を参照して詳述してきたが、具体的な構成はこの実施形態に限られるものではなく、この発明の要旨を逸脱しない範囲の設計等も含まれる。
【符号の説明】
【００９０】
１０、１１、１２…３Ｄメガネ、１００…同期信号受信部、１１０、２１０…シャッター駆動部、１１２、２１２…プロトコル制御部、１１４…信号解析部、１１６…駆動信号生成部、１２０…シャッター部、１２０Ｌ…左目シャッター、１２０Ｒ…右目シャッター、１３０…プロトコル取得部、１３２…媒体接続部、１３４…媒体制御部、１４０、２４０…指定受付部、１９０、２９０…プロトコル記憶部、２５０、３５０…プロトコル更新部、３６０…更新判断部
【図１】
2012231370.tif 000003
【図２】
2012231370.tif 000004
【図３】
2012231370.tif 000005
【図４】
2012231370.tif 000006
【図５】
2012231370.tif 000007